(57)【要約】【課題】静電容量型入力ペンを、毛筆ペン先を傷めることなく携帯性のよいものにする。【解決手段】一端が開口する外筒２と、外筒２内に収納可能に構成され、先端に導電性繊維を有する毛筆ペン先６が取り付けられた内筒５とを設け、毛筆ペン先６が外筒２の開口から露出する使用状態と、外筒２に収容される収納状態とに切換可能に構成する。【選択図】図１
2014021519.tif 000002
【特許請求の範囲】
【請求項１】
一端が開口する外筒と、
上記外筒内に収納可能に構成され、先端に導電性繊維を有する毛筆ペン先が取り付けられた内筒とを有し、
上記毛筆ペン先が上記外筒の開口から露出する使用状態と、該外筒に収容される収納状態とに切換可能に構成されている
ことを特徴とする静電容量型入力ペン。
【請求項２】
請求項１に記載の静電容量型入力ペンにおいて、
上記外筒の他端側には、先端が尖った導電体よりなる硬筆ペン先が設けられている
ことを特徴とする静電容量型入力ペン。
【請求項３】
請求項２に記載の静電容量型入力ペンにおいて、
上記内筒を上記外筒から取り出した状態で上記毛筆ペン先により入力可能である
ことを特徴とする静電容量型入力ペン。
【請求項４】
請求項１乃至３のいずれか１つに記載の静電容量型入力ペンにおいて、
上記内筒には、径方向に突出する係止部が設けられ、
上記外筒には、上記係止部がスライド移動するスリットが形成されている
ことを特徴とする静電容量型入力ペン。
【請求項５】
請求項４に記載の静電容量型入力ペンにおいて、
上記外筒には、上記内筒を押さえ付ける少なくとも１つの板バネが設けられ、
上記内筒には、上記係止部が上記スリット内にあるときに上記板バネがスライド移動する板バネ用溝部が凹陥されている
ことを特徴とする静電容量型入力ペン。
【発明の詳細な説明】
【技術分野】
【０００１】
本発明は、毛筆型のペン先を有する静電容量型入力ペンに関するものである。
【背景技術】
【０００２】
従来より、例えば、特許文献１に示すように、複数本の導電性繊維により筆形にしたペン先を有する静電容量型入力ペンは知られている。
【先行技術文献】
【特許文献】
【０００３】
【特許文献１】特開２０１０−３９６１０号公報
【発明の概要】
【発明が解決しようとする課題】
【０００４】
しかしながら、従来の毛筆型のペン先を有する静電容量型入力ペンでは、使用しないときに毛筆部分を保護するためのキャップをしなければならず、キャップをした場合にはサイズが大きくなって持ち運びに不便であり、また、キャップをなくしてしまうという問題がある。
【０００５】
本発明は、かかる点に鑑みてなされたものであり、その目的とするところは、静電容量型入力ペンを、毛筆ペン先を傷めることなく携帯性のよいものにすることにある。
【課題を解決するための手段】
【０００６】
上記の目的を達成するために、この発明では、毛筆ペン先を収容可能に構成した。
【０００７】
具体的には、第１の発明では、
一端が開口する外筒と、
上記外筒内に収納可能に構成され、先端に導電性繊維を有する毛筆ペン先が取り付けられた内筒とを有し、
上記毛筆ペン先が上記外筒の開口から露出する使用状態と、該外筒に収容される収納状態とに切換可能に構成されている。
【０００８】
上記の構成によると、毛筆ペン先を使用しないときには毛筆ペン先を外筒内に収容すれば、キャップをして保護する必要がなくなるので、サイズが大きくならない。
【０００９】
第２の発明では、第１の発明において、
上記外筒の他端側には、先端が尖った導電体よりなる硬筆ペン先が設けられている。
【００１０】
上記の構成によると、１本の静電容量型入力ペンで毛筆感と硬筆感とが得られ、硬筆ペン先を使用するときには、毛筆ペン先を外筒内に収容すればいいので、毛筆ペン先が傷まない。
【００１１】
第３の発明では、第２の発明において、
上記内筒を上記外筒から取り出した状態で上記毛筆ペン先により入力可能である。
【００１２】
上記の構成によると、場合によっては内筒を外筒から取り出して毛筆ペン先単独での使用も可能となる。
【００１３】
第４の発明では、第１乃至第３のいずれか１つの発明において、
上記内筒には、径方向に突出する係止部が設けられ、
上記外筒には、上記係止部がスライド移動するスリットが形成されている。
【００１４】
上記の構成によると、係止部をスリット上で移動させることで、毛筆ペン先の収納状態と使用状態との切換が容易に行われる。
【００１５】
第５の発明では、第４の発明において、
上記外筒には、上記内筒を押さえ付ける少なくとも１つの板バネが設けられ、
上記内筒には、上記係止部が上記スリット内にあるときに上記板バネがスライド移動する板バネ用溝部が凹陥されている。
【００１６】
上記の構成によると、板バネにより、使用時に毛筆ペン先で入力中に内筒が外筒内に入り込むのを防ぐことができ、収納時には、板バネ用溝部内を板バネが移動するので、収納が容易となる。
【発明の効果】
【００１７】
以上説明したように、本発明によれば、毛筆ペン先を設けた内筒を外筒内に収納可能に構成して収納状態と使用状態とに切換可能としたことにより、静電容量型入力ペンを、毛筆ペン先を傷めることなく携帯性のよいものにすることができる。
【図面の簡単な説明】
【００１８】
【図１】本発明の実施形態に係る静電容量型入力ペンの使用状態を示す斜視図である。
【図２】静電容量型入力ペンの収納状態を示す斜視図である。
【図３】静電容量型入力ペンを示す分解斜視図である。
【図４】静電容量型入力ペンの使用状態を示す断面図である。
【図５】静電容量型入力ペンの収納状態を示す断面図である。
【発明を実施するための形態】
【００１９】
以下、本発明の実施形態を図面に基づいて説明する。
【００２０】
図１〜図５は、本発明の実施形態の静電容量型入力ペン１を示し、この静電容量型入力ペン１は、静電容量体であるユーザが手に把持したり、口にくわえたりして静電容量型の携帯端末（図示せず）の画面を操作するためのものである。
【００２１】
静電容量型入力ペンは、円筒状の外筒２を備えている。外筒２は、例えば、導電性フィラーを含む樹脂又はエラストマーよりなる成形品、金属製パイプなどの導電性材料よりなる。外筒２の一端側（先端側）は、開口すると共に、軸方向に延びるスリット３が形成されている。外筒２の他端側には、先端が尖った導電体よりなる硬筆ペン先４が嵌め込まれている。硬筆ペン先４は、携帯端末の画面を傷付けないように導電性フィラーを含む樹脂又はエラストマーよりなる比較的柔らかい成形品等が望ましいが、金属材料でもよい。
【００２２】
この外筒２内には、外筒２の内径よりも若干小さい外形を有する円筒状の内筒５が収納可能となっている。内筒５も外筒２と同様の導電性材料よりなり、先端に導電性繊維を有する毛筆ペン先６が取り付けられている。毛筆ペン先６は、導電性繊維の束よりなるが、その材質は特に限定されない。ナイロン系繊維、アクリル系繊維等に金属イオン等を吸着させた導電性繊維などある程度柔軟性を有する材料が望ましい。毛筆ペン先６の基端は、ペン先保持リング７によって形状が保持されている。このペン先保持リング７に保持された毛筆ペン先６が内筒５の先端に固定されている。
【００２３】
そして、図３に示すように、内筒５の基端側には、例えば金属製の導体軸８が嵌め込まれている。導体軸８は、内筒５の基端側を塞ぐ円板部８ａと、この円板部８ａから毛筆ペン先６の基端に延びる棒状の軸部８ｂとを備えている。この導体軸８も導電性フィラーを含む樹脂又はエラストマーよりなる成形品で構成してもよい。
【００２４】
内筒５の先端側には、径方向に突出する係止部９が設けられている。係止部９は、内筒５に一体に成形してもよいし、内筒５の成形後に取り付けてもよい。この係止部９は、外筒２のスリット３の幅よりも若干小さい外形を有する円柱状、スリット３の幅よりも若干狭い幅を有する四角柱状のもの等よりなる。
【００２５】
一方、外筒２には、内筒５を押さえ付ける例えば３つの板バネ１０が所定位置（例えば互いに１２０°円周方向に間隔をあけた位置）に取り付けられている。板バネ１０は、例えば、矩形板状であり、軸方向中央が径方向外側に膨らむように配置されている。そして、内筒５には、係止部９がスリット３内にあるときに各板バネ１０がスライド移動する、軸方向に延びる板バネ用溝部１１が凹陥されている。なお、円板部８ａにも板バネ用溝部１１に連続するように溝部１２が形成されている。
【００２６】
このように構成することにより、毛筆ペン先６が外筒２の開口から露出する使用状態（図１及び図４に示す）と、外筒２に収容される収納状態（図２及び図５に示す）とに切換可能に構成されている。
【００２７】
次に、本実施形態に係る静電容量型入力ペン１の使用方法について説明する。
【００２８】
まず、携帯時など、毛筆ペン先６を使用しないときには、図２に示すように、係止部９をスリット３の基端側まで挿入した収納状態とする。このとき、図５に示すように、板バネ１０は、板バネ用溝部１１の先端側に配置され、毛筆ペン先６が意図せず飛び出さないように適度な付勢力で板バネ用溝部１１の底面を押さえ付けている。このように、毛筆ペン先６を外筒２内に収容すれば、キャップをして保護する必要がなくなるので、サイズが大きくならない。
【００２９】
また、この収納状態では、硬筆ペン先４は露出しているので、硬筆ペン先４を用いて入力が可能である。このときも、毛筆ペン先６が外筒２内に収納されているので、毛筆ペン先６を傷めることはない。また、口にくわえる場合でも、毛筆ペン先６が邪魔をしない。
【００３０】
そして、毛筆ペン先６使用するときには、まず、係止部９に指を掛けるなどにより、内筒５を引き出す。なお、係止部９がスリット３内にあるときには、板バネ１０は、板バネ用溝部１１及び溝部１２内をスライド移動するので、スライド操作を阻害することはない。
【００３１】
次いで、係止部９が板バネ用溝部１１の先端から飛び出した状態で、図１に示すように円周方向に内筒５を適度に回転させる。このとき、図４に示すように、板バネ１０は、円板部８ａの部分にあり、この円板部８ａに押しつけられている。このため、毛筆ペン先６の使用中に内筒５が意図せず奥に入り込んでしまうことはない。
【００３２】
ユーザが手で外筒２を掴んだ状態で毛筆ペン先６を携帯端末のタッチパネル等に近づけると、毛筆ペン先６と導電膜との間での静電容量の変化が発生し、位置が検出される。
【００３３】
一方、外筒２よりも細い内筒４を掴みながら毛筆ペン先６を使用したいときなどには、図１の状態からさらに内筒４を抜き出して、内筒４単独で使用してもよい。
【００３４】
このように、１本の静電容量型入力ペン１で毛筆感と硬筆感とが得られ、硬筆ペン先４を使用するときには、毛筆ペン先６を外筒２内に収容すればいいので、毛筆ペン先６が傷まない。
【００３５】
また、係止部９をスリット３に対して出し入れするだけで、毛筆ペン先６の収納状態と使用状態との切換を容易に行うことができる。
【００３６】
したがって、本実施形態に係る静電容量型入力ペン１によると、毛筆ペン先６を設けた内筒５を外筒２内に収納可能に構成して収納状態と使用状態とに切換可能としたことにより、静電容量型入力ペン１を、毛筆ペン先６を傷めることなく携帯性のよいものにすることができる。
【００３７】
（その他の実施形態）
本発明は、上記実施形態について、以下のような構成としてもよい。
【００３８】
すなわち、上記実施形態では、内筒５の基端側に硬筆ペン先４を設けたが、この硬筆ペン先４はなくてもよい。
【００３９】
また、係止部９は、円柱状の高さの低いものとしたが、内筒５の出し入れを容易にするためにスリット３から飛び出す部分、例えば、外径の大きい円板状の取っ手等を付けてもよい。
【００４０】
なお、以上の実施形態は、本質的に好ましい例示であって、本発明、その適用物や用途の範囲を制限することを意図するものではない。
【産業上の利用可能性】
【００４１】
以上説明したように、本発明は、先端に導電性繊維を有する毛筆ペン先を備えた静電容量型入力ペンについて有用である。
【符号の説明】
【００４２】
１      静電容量型入力ペン
２      外筒
３      スリット
４      硬筆ペン先
５      内筒
６      毛筆ペン先
７      ペン先保持リング
８      導体軸
８ａ    円板部
８ｂ    軸部
９      係止部
１０      板バネ
１１      板バネ用溝部
１２      溝部
【図１】
2014021519.tif 000003
【図２】
2014021519.tif 000004
【図３】
2014021519.tif 000005
【図４】
2014021519.tif 000006
【図５】
2014021519.tif 000007